(57)【要約】【課題】  医用情報をフィルム上に印刷する場合において、比較参照を行いやすくする。【解決手段】  上記課題を解決するために、実施形態の医用診断装置は、データ収集手段で収集されたデータに基づいて医用画像を生成する医用画像生成部と、前記医用画像生成部で生成され、他のデータ収集手段に基づいて生成され印刷される医用画像と略同一の撮像位置、拡大率、画像サイズに設定された医用画像を、前記他のデータ収集手段に基づいて生成され印刷される医用画像と略同一の印刷レイアウトに設定した印刷データを生成する印刷データ生成部と、を備え、前記印刷データ生成部によって生成された前記印刷データを印刷手段に転送し印刷させる。【選択図】図５
2014226262.tif 000002
【特許請求の範囲】
【請求項１】
データ収集手段で収集されたデータに基づいて医用画像を生成する医用画像生成部と、
前記医用画像生成部で生成され、他のデータ収集手段に基づいて生成され印刷される医用画像と略同一の撮像位置、拡大率、画像サイズに設定された医用画像を、前記他のデータ収集手段に基づいて生成され印刷される医用画像と略同一の印刷レイアウトに設定した印刷データを生成する印刷データ生成部と、
を備え、
前記印刷データ生成部によって生成された前記印刷データを印刷手段に転送し印刷させる医用診断装置。
【請求項２】
前記医用画像生成部で生成された医用画像に付帯情報を付与する付帯情報付与部を備え、
前記印刷データ生成部は、前記付帯情報付与部で付与された付帯情報の中で前記他のデータ収集手段に基づいて生成され印刷される医用画像に付与され印刷される付帯情報と共通の付帯情報を前記他のデータ収集手段に基づいて生成され印刷される医用画像に付与され印刷される付帯情報と略同一の印刷レイアウトに設定し前記印刷データに反映させる請求項１に記載の医用診断装置。
【請求項３】
前記印刷データ生成部は、前記付帯情報付与部で付与された付帯情報の中で前記他のデータ収集手段に基づいて生成され印刷される医用画像に付与され印刷される付帯情報と共通でない付帯情報を前記他のデータ収集手段に基づいて生成され印刷される医用画像に付与され印刷される付帯情報と重畳しない印刷レイアウトに設定し前記印刷データに反映させる請求項２に記載の医用診断装置。
【請求項４】
前記印刷データ生成部は、対応する画像同士で一致するガイドを生成し、前記印刷データに反映させる請求項１乃至３のうちいずれか一つに記載の医用診断装置。
【請求項５】
複数のデータ収集手段で収集されたデータに基づいて生成された医用画像を、略同一の撮像位置、拡大率、画像サイズに設定し、略同一の印刷レイアウトに設定した印刷データを生成する印刷データ生成部と、
を備え、
前記印刷データ生成部によって生成された前記印刷データを印刷手段に転送し印刷させる画像処理装置。
【請求項６】
前記印刷データ生成部は、共通の付帯情報同士は略同一の印刷レイアウトに設定し前記印刷データに反映させる請求項５に記載の画像処理装置。
【請求項７】
前記印刷データ生成部は、共通でない付帯情報同士は重畳しない印刷レイアウトに設定し前記印刷データに反映させる請求項５又は６に記載の画像処理装置。
【請求項８】
前記印刷データ生成部は、対応する画像同士で一致するガイドを生成し、前記印刷データに反映させる請求項５乃至７のうちいずれか一つに記載の画像処理装置。
【発明の詳細な説明】
【技術分野】
【０００１】
本発明の実施形態は、医用診断装置および画像処理装置に関する。
【背景技術】
【０００２】
医用診断装置で生成した医用画像を医師が参照する場合、当該医用画像を透明なフィルムに印刷し、参照することがある。例えば異なる医用診断装置で生成された医用画像は、医用診断装置単位で異なるフィルムに印刷される。また、例えば印刷される医用画像や当該医用画像の付帯情報のレイアウトや文字種は医用診断装置単位で異なる。
【０００３】
上記のような場合、医師は、異なる医用診断装置で生成された複数の医用画像を比較したくとも当該複数の医用画像を並べて比較するしかなく、例えば当該複数の医用画像を重ねて比較参照するといったことはできない。結果として、診断方法が限定され、病症の発見を遅滞させてしまう可能性がある。
【先行技術文献】
【特許文献】
【０００４】
【特許文献１】特開２０１０−１６７１８８号公報
【発明の概要】
【発明が解決しようとする課題】
【０００５】
本発明が解決しようとする課題は、医用情報をフィルム上に印刷する場合において、比較参照を行いやすくすることである。
【課題を解決するための手段】
【０００６】
上記課題を解決するために、実施形態の医用診断装置は、データ収集手段で収集されたデータに基づいて医用画像を生成する医用画像生成部と、前記医用画像生成部で生成され、他のデータ収集手段に基づいて生成され印刷される医用画像と略同一の撮像位置、拡大率、画像サイズに設定された医用画像を、前記他のデータ収集手段に基づいて生成され印刷される医用画像と略同一の印刷レイアウトに設定した印刷データを生成する印刷データ生成部と、を備え、前記印刷データ生成部によって生成された前記印刷データを印刷手段に転送し印刷させる。
【図面の簡単な説明】
【０００７】
【図１】第１の実施形態におけるブロック図。
【図２】第１の実施形態におけるフロー図。
【図３】第１の実施形態におけるＣＴ画像印刷データが印刷されたフィルムの概略図。
【図４】第１の実施形態におけるＰＥＴ画像印刷データが印刷されたフィルムの概略図。
【図５】第１の実施形態における診断時に使用するフィルムの概略図。
【図６】変形例におけるフィルムの概略図。
【図７】第２の実施形態におけるブロック図。
【発明を実施するための形態】
【０００８】
以下、本発明の実施形態について図面を参照しながら説明する。
【０００９】
（第１の実施形態）
本実施形態では医用診断装置について説明する。
【００１０】
まず、本実施形態における医用診断装置１の構成を図１のブロック図を用いて説明する。
【００１１】
本実施形態における医用診断装置１は、例えばＰＥＴ（Ｐｏｓｉｔｏｒｎ  Ｅｍｉｓｓｉｏｎ  Ｔｏｍｏｇｒａｐｈｙ）装置、とＸ線ＣＴ（Ｃｏｍｐｕｔｅｄ  Ｔｏｍｏｇｒａｐｈｙ）装置が一体となった、ＰＥＴ−ＣＴ装置である。医用診断装置１は、架台部２、コンソール３、寝台１７を備える。コンソール３は、システム制御部６、医用情報生成部７、記憶部８、表示部９、操作部１０、印刷データ生成部１１を備える。医用情報生成部７は、ＣＴ画像生成部１２、ＰＥＴ画像生成部１３、付帯上場付与部１４を備える。
【００１２】
架台部２は、ＣＴ画像撮像部４、ＰＥＴ画像撮像部５を備える。架台部２は、寝台１７に載置された患者の体軸方向に当該患者を出し入れするための開口部を備える。
【００１３】
ＣＴ画像撮像部４は、例えば架台部２に互いに対向するように設けられた図示しないＸ線管と図示しないＸ線検出器である。Ｘ線管とＸ線検出器は、システム制御部６からの指示に従って、上記開口部の中心を通り患者の体軸方向と平行な回転軸を中心に回転する。Ｘ線管は、システム制御部６からの指示に従って印加された管電流と管電圧に基づいてＸ線を照射する。Ｘ線検出器は、Ｘ線管から照射され患者を透過したＸ線を検出し、ＣＴ画像用検出信号を生成する。Ｘ線検出器は、生成したＣＴ画像用検出信号をＣＴ画像生成部１２に送信する。
【００１４】
ＰＥＴ画像撮像部５は、例えば図示しないγ線検出器である。γ線検出部は、システム制御部６からの指示に従って、患者の体内に注入された放射性医薬品（トレーサ）に基づくγ線を検出し、ＰＥＴ画像用検出信号を生成する。γ線検出器は、生成したＰＥＴ画像用検出信号をＰＥＴ画像生成部１３に送信する。
【００１５】
なお、本実施形態において、寝台１７に載置された患者の体軸方向をｚ軸方向、鉛直上下方向をｙ軸方向、ｚ軸方向とｙ軸方向に垂直な方向をｘ軸方向と定義する。また、上記ＣＴ画像撮像部４とＰＥＴ画像撮像部５の撮像中心は、上記開口部の中心を通りＺ軸方向と平行な回転軸上にあり、これらのｘ−ｙ断面における座標が例えば（ｘ０，ｙ０）であるものとして、以下説明する。
【００１６】
システム制御部６は、所定のタイミングで所定の操作画面を生成し、表示部９に表示させる。システム制御部６は、操作部１０を介したオペレータからの指示に従って、Ｒａｄｉｏｌｏｇｙ  Ｉｎｆｏｒｍａｔｉｏｎ  ＳｙＳｔｅｍ／ＨｏｓｐｉｔａｌＩｎｆｏｒｍａｔｉｏｎ  Ｓｙｓｔｅｍ（ＲＩＳ／ＨＩＳ）１６に指示し、患者氏名や患者ＩＤといった第１付帯情報を付帯情報付与部１４に対して転送させる。システム制御部６は、操作部１０を介したオペレータからの指示に従って、ＣＴ画像撮像部４のＸ線管に印加させる管電流や管電圧の値、Ｘ線管およびＸ線検出器の回転速度を設定し、設定した条件に基づいてＣＴ画像撮像部４を制御する。システム制御部６は、例えばＸ線管に印加した管電流や管電圧の値、Ｘ線管およびＸ線検出器の回転速度を付帯情報付与部１４に対して通知する。システム制御部６は、操作部１０を介したオペレータからの指示に従って、例えば患者に投与したトレーサの投与量、トレーサの核種、トレーサを患者に投与してからの経過時間などを付帯情報付与部１４に通知する。システム制御部６は、操作部１０を介したオペレータからの指示に基づいて、ＣＴ画像生成部１２で生成され記憶部８に記憶されたＣＴ画像データを印刷データ生成部１１に転送する。システム制御部６は、操作部１０を介したオペレータからの指示に基づいて、ＰＥＴ画像生成部１３で生成され記憶部８に記憶されたＰＥＴ画像データを印刷データ生成部１１に転送する。システム制御部６は、印刷データ生成部１１で生成され記憶部８に記憶されたＣＴ画像印刷データあるいはＰＥＴ画像印刷データを印刷機１５に転送し、印刷させる。システム制御部６は、操作部１０を介したオペレータからの指示に従って、寝台１７に載置された患者の位置をｘ軸、ｙ軸、ｚ軸の方向に変化させる。
【００１７】
付帯情報付与部１４は、システム制御部６からの通知に基づいて、Ｘ線管に印加した管電流や管電圧の値、Ｘ線管およびＸ線検出器の回転速度などの第２付帯情報を生成する。付帯情報付与部１４は、システム制御部６からの通知に基づいて、患者に投与したトレーサの投与量、トレーサの核種、トレーサを患者に投与してからの経過時間などの第３付帯情報を生成する。付帯情報付与部１４は、ＲＩＳ／ＨＩＳ１６から転送された第１付帯情報と、生成した第２付帯情報、第３付帯情報を印刷用データ生成部１１に転送する。
【００１８】
ＣＴ画像生成部１２は、ＣＴ画像撮像部４から送信されたＣＴ画像用検出信号に基づいて、例えばｘ軸方向とｙ軸方向に対応するピクセルサイズが共にａ１、ｘ軸方向とｙ軸方向に対応するピクセル数がそれぞれｂ１とｃ１、ｘ−ｙ断面における画像の中心が（ｘ０，ｙ０）のＣＴ画像データを生成する。なお、このＣＴ画像データのｘ軸方向とｙ軸方向に対応する画像サイズはそれぞれａ１×ｂ１とａ１×ｃ１であり、本実施形態において、ａ１×ｂ１＝Ｌ１、ａ１×ｃ１＝Ｌ２とする。ＣＴ画像生成部１２は、生成したＣＴ画像データを記憶部８に転送する。
【００１９】
ＰＥＴ画像生成部１３は、ＰＥＴ画像撮像部５から送信されたＰＥＴ画像用検出データに基づいて、例えばｘ軸方向とｙ軸方向に対応するピクセルサイズが共にａ２、ｘ軸方向とｙ軸方向に対応するピクセル数がそれぞれｂ２とｃ２、ｘ−ｙ断面における画像の中心が（ｘ０，ｙ０）のＰＥＴ画像データを生成する。なお、このＰＥＴ画像データのｘ軸方向とｙ軸方向に対応する画像サイズはそれぞれａ２×ｂ２とａ２×ｃ２であり、本実施形態において、ａ２×ｂ２＝Ｌ１、ａ２×ｃ２＝Ｌ２とする。ＰＥＴ画像生成部１３は、生成したＰＥＴ画像データを記憶部８に転送する。
【００２０】
印刷データ生成部１１は、システム制御部６から転送されたＣＴ画像データと、付帯情報付与部１４から転送された第１付帯情報と第２付帯情報とを所定のレイアウトで重畳させたＣＴ画像印刷データを生成する。印刷データ生成部１１は、生成したＣＴ画像印刷データを記憶部８に転送する。印刷データ生成部１１は、システム制御部６から転送されたＰＥＴ画像データと、付帯情報付与部１４から転送された第１付帯情報と第３付帯情報とを所定のレイアウトで重畳させたＰＥＴ画像印刷データを生成する。印刷データ生成部１１は、生成したＰＥＴ画像印刷データを記憶部８に転送する。なお、ＣＴ画像印刷データとＰＥＴ画像印刷データの詳細については後述する。
【００２１】
記憶部８は、ＣＴ画像生成部１２から転送されたＣＴ画像データを記憶する。記憶部８は、ＰＥＴ画像生成部１３から転送されたＰＥＴ画像データを記憶する。記憶部８は、印刷データ生成部１１から転送されたＣＴ画像印刷データを記憶する。記憶部８は、印刷データ生成部１１から転送されたＰＥＴ画像印刷データを記憶する。
【００２２】
表示部９は、システム制御部６からの指示に従って、所定の操作画面を表示する。
【００２３】
操作部１０は、例えばマウスやキーボード、トラックボールなどの図示しない操作手段を備え、当該操作手段を用いたオペレータの操作に基づいてシステム制御部６に指示する。
【００２４】
寝台１７は、システム制御部６からの指示に従って動作し、載置された患者の位置を変化させる。
【００２５】
印刷記１５は、記憶部８から転送されたＣＴ画像印刷データあるいはＰＥＴ画像印刷データを、例えば同一サイズのフィルムにそれぞれ印刷する。
【００２６】
ＲＩＳ／ＨＩＳ１６は、検査予約リストと各検査に係る患者氏名や患者ＩＤといった第１付帯情報を備える。ＲＩＳ／ＨＩＳ６は、システム制御部６からの指示に従って、第１付帯情報を付帯情報付与部１４に転送する。
【００２７】
次に、本実施形態における医用診断装置１の動作を図２のフロー図を用いて説明する。
【００２８】
ステップＳ１において、患者を寝台１７に載置させ検査を開始する。なお、患者にはステップＳ１以前にトレーサが注入されており、ステップＳ１の時点においてはトレーサが患者体内に十分に行き渡っている状態である。
【００２９】
ステップＳ２において、オペレータは操作部１０を介してシステム制御部６に指示し、所定の操作画面を表示部９に表示させる。ここで所定の操作画面とは、例えばＲＩＳ／ＨＩＳ１６が有する検査予約リストであり、オペレータは、操作部１０を介して当該検査予約リストにおける今回の検査を指定する。オペレータによって今回の検査が指定されると、システム制御部６はＲＩＳ／ＨＩＳ１６に指示し、今回の検査に係る患者氏名や患者ＩＤ、すなわち第１付帯情報を付帯情報付与部１４に対して転送させる。
【００３０】
ステップＳ３において、オペレータは操作部１０を介してシステム制御部６に指示し、所定の操作画面を表示部９に表示させる。ここで所定の操作画面とは、例えばＣＴ画像撮像部４のＸ線管に印加させる管電流や管電圧の値、Ｘ線管およびＸ線検出器の回転速度の設定画面であり、オペレータは、操作部１０を介してＸ線管に印加させる管電流や管電圧の値、Ｘ線管およびＸ線検出器の回転速度を設定する。オペレータによってＸ線管に印加させる管電流や管電圧の値、Ｘ線管およびＸ線検出器の回転速度が設定されると、システム制御部６は当該設定の内容を付帯情報付与部１４に通知する。付帯情報付与部１４は、システム制御部６からの通知に基づき、Ｘ線管に印加させる管電流や管電圧の値、Ｘ線管およびＸ線検出器の回転速度などの第２付帯情報を生成する。付帯情報付与部１４は、ＲＩＳ／ＨＩＳ１６から転送された第１付帯情報と、生成した第２付帯情報を印刷データ生成部１１に転送する。また、Ｘ線管に印加させる管電流や管電圧の値、Ｘ線管およびＸ線検出器の回転速度の設定が終了すると、オペレータは寝台１７に載置されている患者の検査部位がＸ線管とＸ線検出器の中間位置、すなわち開口部の中心に位置するように、操作部１７を用いてシステム制御部６に指示する。システム制御部６は、操作部１０を介したオペレータからの指示に従って寝台１７を動作させ、患者の位置を移動させる。
【００３１】
ステップＳ４において、患者の移動が終了すると、オペレータは操作部１０を介してＣＴ画像の撮像開始をシステム制御部６に対して指示する。システム制御部６は、ステップＳ３における設定に基づいてＣＴ画像撮像部４に指示する。ＣＴ画像撮像部４は、システム制御部６からの指示に従ってＸ線管に指示し、Ｘ線を照射させる。Ｘ線検出器は、Ｘ線管から照射され患者を透過したＸ線を検出し、ＣＴ画像用検出信号を生成する。Ｘ線検出器は、生成したＣＴ画像用検出信号をＣＴ画像生成部１２に送信する。ＣＴ画像生成部１２は、Ｘ線検出器から受信したＣＴ画像用検出信号に基づいてＣＴ画像データを生成する。ＣＴ画像生成部１２は、生成したＣＴ画像データを記憶部８に転送する。ＣＴ画像の撮像が終了すると、ステップＳ５に移行する。
【００３２】
ステップＳ５において、オペレータは、操作部１０を介してＣＴ画像の印刷をシステム制御部６に対して指示する。具体的には、例えば表示部９に表示されている「通常印刷」のボタンを、操作部１０を用いて指定する。システム制御部６は、操作部１０を介したオペレータからの指示に基づいて、ＣＴ画像生成部１２で生成され記憶部８に記憶されたＣＴ画像データを印刷データ生成部１１に転送する。印刷データ生成部１１は、システム制御部６から転送されたＣＴ画像データと、付帯情報付与部１４から転送された第１付帯情報と第２付帯情報とを所定のレイアウトで重畳させたＣＴ画像印刷データを生成する。印刷データ生成部１１は、生成したＣＴ画像印刷データを記憶部８に転送する。システム制御部６は、印刷データ生成部１１で生成され記憶部８に記憶されたＣＴ画像印刷データを印刷機１５に転送し、印刷させる。
【００３３】
図３は、印刷機１５によってフィルム２１に印刷されたＣＴ画像印刷データの概略図である。図３に示すように、フィルム２１のｘ軸方向とｙ軸方向に対応するサイズは、それぞれＫ×Ｌ１＋２Ｌ３とＫ×Ｌ２＋２×Ｌ３である。また、ＣＴ画像２２のｘ軸方向とｙ軸方向に対応するサイズはＫ×Ｌ１とＫ×Ｌ２である。すなわち、図３におけるＣＴ画像２２は、ＣＴ画像生成部１２によって生成されたＣＴ画像データの画像サイズがフィルム２１のサイズに合わせてＫ倍に拡大されたものである。ＣＴ画像２２は、例えばフィルム２１の縁からｘ軸方向とｙ軸方向に対応する方向に幅Ｌ３の余白部分を有するレイアウトで印刷される。また、図３に示すようにＣＴ画像２２は、所定位置に第１付帯情報印刷欄２３、第２付帯情報印刷欄２４を備える。第１付帯情報印刷欄２３には、患者氏名や患者ＩＤなどの第１付帯情報が印刷される。第２付帯情報印刷欄２４には、Ｘ線管に印加させる管電流や管電圧の値、Ｘ線管およびＸ線検出器の回転速度などの第２付帯情報が印刷される。なお、ＣＴ画像２２のｘ−ｙ断面における中心は（ｘ０，ｙ０）である。
【００３４】
印刷機１５が、ＣＴ画像印刷データを印刷すると、ステップＳ６に移行する。
【００３５】
ステップＳ６において、オペレータは操作部１０を介してシステム制御部６に指示し、所定の操作画面を表示部９に表示させる。ここで所定の操作画面とは、例えば患者に投与したトレーサの投与量、トレーサの核種、トレーサを患者に投与してからの経過時間などの入力画面であり、オペレータは、操作部１０を介して患者に投与したトレーサの投与量、トレーサの核種、トレーサを患者に投与してからの経過時間などを入力する。オペレータによって患者に投与したトレーサの投与量、トレーサの核種、トレーサを患者に投与してからの経過時間などが入力されると、システム制御部６は当該入力の内容を付帯情報付与部１４に通知する。付帯情報付与部１４は、システム制御部６からの通知に基づき、患者に投与したトレーサの投与量、トレーサの核種、トレーサを患者に投与してからの経過時間などの第３付帯情報を生成する。付帯情報付与部１４は、ＲＩＳ／ＨＩＳ１６から転送された第１付帯情報と、生成した第３付帯情報を印刷データ生成部１１に転送する。また、患者に投与したトレーサの投与量、トレーサの核種、トレーサを患者に投与してからの経過時間などの入力が終了すると、オペレータは寝台１７に載置されている患者の検査部位がγ線検出器の中心位置、すなわち開口部の中心に位置するように、操作部１７を用いてシステム制御部６に指示する。システム制御部６は、操作部１０を介したオペレータからの指示に従って寝台１７を動作させ、患者の位置を移動させる。なお、本実施形態では、ＣＴ画像の撮像とＰＥＴ画像の撮像でｘ−ｙ断面における位置は変化させないため、患者の移動方向はｚ軸方向のみで良い。
【００３６】
ステップＳ７において、患者の移動が終了すると、オペレータは操作部１０を介してＰＥＴ画像の撮像開始をシステム制御部６に対して指示する。システム制御部６は、γ線の検出を実施するようにＰＥＴ画像撮像部５に指示する。ＣＴ画像撮像部４のγ線検出記は、システム制御部６からの指示に従ってトレーサに基づくγ線を検出し、ＰＥＴ画像用検出信号を生成する。γ線検出器は、生成したＰＥＴ画像用検出信号をＰＥＴ画像生成部１３に送信する。ＰＥＴ画像生成部１３は、γ線検出器から受信したＰＥＴ画像用検出信号に基づいてＰＥＴ画像データを生成する。ＰＥＴ画像生成部１３は、生成したＰＥＴ画像データを記憶部８に転送する。ＰＥＴ画像の撮像が終了すると、ステップＳ８に移行する。
【００３７】
ステップＳ８において、オペレータは、操作部１０を介して、ＣＴ画像とＰＥＴ画像を重ねて診断するためのＰＥＴ画像の印刷をシステム制御部６に対して指示する。具体的には、例えば表示部９に表示されている「重なるように印刷」のボタンを、操作部１０を用いて指定する。システム制御部６は、操作部１０を介したオペレータからの指示に基づいて、ＰＥＴ画像生成部１３で生成され記憶部８に記憶されたＰＥＴ画像データを印刷データ生成部１１に転送する。印刷データ生成部１１は、システム制御部６から転送されたＰＥＴ画像データと、付帯情報付与部１４から転送された第１付帯情報と第３付帯情報とを所定のレイアウトで重畳させたＰＥＴ画像印刷データを生成する。印刷データ生成部１１は、生成したＰＥＴ画像印刷データを記憶部８に転送する。システム制御部６は、印刷データ生成部１１で生成され記憶部８に記憶されたＰＥＴ画像印刷データを印刷機１５に転送し、印刷させる。
【００３８】
図４は、印刷機１５によってフィルム２１に印刷されたＰＥＴ画像印刷データの概略図である。図４に示すように、フィルム２１のｘ軸方向とｙ軸方向に対応するサイズは、それぞれＫ×Ｌ１＋２Ｌ３とＫ×Ｌ２＋２×Ｌ３である。また、ＣＴ画像２５のｘ軸方向とｙ軸方向に対応するサイズはＫ×Ｌ１とＫ×Ｌ２である。すなわち、図４におけるＰＥＴ画像２５は、ＰＥＴ画像生成部１２によって生成されたＰＥＴ画像データの画像サイズがフィルム２１のサイズに合わせてＫ倍に拡大されたものである。ＰＥＴ画像２５は、例えばフィルム２１の縁からｘ軸方向とｙ軸方向に対応する方向に幅Ｌ３の余白部分を有するレイアウトで印刷される。また、図４に示すようにＰＥＴ画像２５は、所定位置に第１付帯情報印刷欄２３、第２付帯情報印刷欄２４と重畳しない位置に第３付帯情報印刷欄２６を備える。第１付帯情報印刷欄２３には、患者氏名や患者ＩＤなどの第１付帯情報が印刷される。第３付帯情報印刷欄２６には、患者に投与したトレーサの投与量、トレーサの核種、トレーサを患者に投与してからの経過時間などの第３付帯情報が印刷される。なお、ＣＴ画像２２のｘ−ｙ断面における中心は（ｘ０，ｙ０）である。
【００３９】
図３と図４に示すように、フィルム２１に印刷されたＣＴ画像２２とＰＥＴ画像２５の、撮像位置、拡大率、画像サイズは略同一であり、第２付帯情報印刷欄２４と第３付帯情報印刷欄２６を除いてレイアウトも略同一である。
【００４０】
印刷記１５が、ＰＥＴ画像印刷データを印刷すると、ステップＳ９に移行する。
【００４１】
ステップＳ９において、オペレータはフィルム印刷されたＣＴ画像印刷データとＰＥＴ画像印刷データを参照し、診断を行う。
【００４２】
図５は、ＣＴ画像印刷データの印刷されたフィルム２１とＰＥＴ画像印刷データの印刷されたフィルム２１を重ねたときの概略図である。前述したように、ＣＴ画像印刷データの印刷されたフィルム２１とＰＥＴ画像印刷データの印刷されたフィルム２１のサイズは同一であり、フィルム２１に印刷されたＣＴ画像２２とＰＥＴ画像２５の、撮像位置、拡大率、画像サイズは略同一であり、第２付帯情報印刷欄２４と第３付帯情報印刷欄２６を除いてレイアウトも略同一であるため、図５に示すようにフィルム２１の縁を合わせると、患者氏名や患者ＩＤなどの第１付帯情報は一致するように重畳する。また、第２付帯情報印刷欄２４と第３付帯情報印刷欄の位置は異なるため、第２付帯情報印刷欄２４に印刷された第２付帯情報と、第３付帯情報印刷欄２に印刷された第３付帯情報は、図５に示すようにフィルム２１の縁を合わせても文字が重畳せず、第２付帯情報と第３付帯情報を読み分けることができる。
【００４３】
オペレータによる診断が完了すると、検査は終了する。
【００４４】
以上説明したように、本実施形態における医用診断装置１は、それぞれ異なるデータ収集手段で収集されたデータに基づいて医用画像データを生成し、医用画像データを略同一の撮像位置、拡大率、画像サイズに設定し、略同一のレイアウトでフィルム２１に印刷する。これによって、フィルム２１に印刷された医用画像データを重畳させ参照することができるようになり、医用画像データの比較参照を行いやすくなる。また本実施形態における医用診断装置１は、同一の付帯情報は略同一のレイアウトで印刷し、異なる付帯情報は異なるレイアウトで印刷する。これによって、フィルム２１に印刷された医用画像データを重畳させ参照する場合でも、必要な付帯情報を正確に読み取ることができる。更に、例えばＣＴ画像による形態画像を詳細に観察したい場合は、単に、機能画像を表したＰＥＴ画像側のフィルムを捲り上げれるだけであり、読影作業を極めて容易に行うことができる。
【００４５】
本実施形態では、ＣＴ画像印刷データとＰＥＴ画像印刷データを表示部９に表示せずに印刷する場合について説明したが、表示部９に表示させてから印刷しても良い。この場合、例えばＣＴ画像印刷データとＰＥＴ画像印刷データを別々に表示させても良く、同時に表示させても良い。同時に表示させる場合は、重畳させて表示させても良く、並べて表示させても良い。
【００４６】
上記のように表示部９に表示させてから印刷する場合、例えばオペレータは操作部１０を介して、ＣＴ画像印刷データとＰＥＴ画像印刷データにおける付帯情報の内容や印刷レイアウトの修正、ＣＴ画像２２やＰＥＴ画像２５の印刷レイアウトの修正などを行えても良い。
【００４７】
本実施形態では、ステップＳ８において、オペレータが「重なるように印刷」のボタンを指定する場合について説明したが、オペレータは「重なるように印刷」のボタンを指定せずに「通常印刷」のボタンを指定しても良い。この場合、例えば図４のＰＥＴ画像２５上に印刷される第３付帯情報は、第２付帯情報表示欄２４の位置に印刷される。
【００４８】
本実施形態では、ＣＴ画像生成部１２とＰＥＴ画像生成部１３で生成された医用画像データをそのままフィルム２１に印刷する場合について述べたが、例えばＣＴ画像２２あるいはＰＥＴ画像、若しくは両方の画像の透明度を変化させて印刷しても良い。これによって、ＣＴ画像とＰＥＴ画像の重なりが濃く観察しづらい箇所についても観察しやすくなる。
【００４９】
本実施形態では、印刷するフィルム２１の縁を合わせて重畳させる場合について説明したが、位置合わせのためのガイドを印刷しても良い。
【００５０】
図６は、変形例において、フィルム２１上のＣＴ画像２２とＰＥＴ画像２５の概略図である。図６に示すように、ＣＴ画像２２の印刷されたフィルム２１と、このＣＴ画像２２に対応するＰＥＴ画像の印刷されたフィルム２１には、共通の形状のガイド２７が印刷され、オペレータはガイド２７同士を一致させることで、フィルム２１の位置合わせを行う。ガイド２７の形状や位置は、例えば患者単位あるいは検査単位で異なり、対応する画像同士でのみ一致するように印刷される。これによって、例えば異なる患者や異なる検査のフィルム２１同士を誤って重畳させようとした場合でも、フィルム２７同士の合わせ違いを防ぐことができる。なお、位置合わせのためのガイド２７は、図６に示すような図形でなくとも良く、文字や記号でも良い。あるいは、ガイド２７は印刷したものでなくとも良く、切れ込みや穴でも代用可能である。
【００５１】
本実施形態では、一枚のフィルム２１に印刷される医用画像データが一つずつである場合について説明したが、図６に示すように複数の医用画像データをまとめて一枚のフィルム２１に印刷しても良い。
【００５２】
本実施形態では、医用診断装置１がＸ線ＣＴ装置とＰＥＴ装置が一体となったＰＥＴ−ＣＴ装置である場合について説明したが、それぞれ独立したＸ線ＣＴ装置とＰＥＴ装置で生成したＣＴ画像データとＰＥＴ画像データに基づいて、印刷データ生成部１１がＣＴ画像印刷データとＰＥＴ画像印刷データを生成し、印刷させても良い。
【００５３】
本実施形態の適用は、Ｘ線ＣＴ装置とＰＥＴ装置の組み合わせに限らずとも良い。例えばＸ線ＣＴ装置とＸ線診断装置や、Ｘ線ＣＴ装置と超音波診断装置、Ｘ線ＣＴ装置とＭＲＩ装置、Ｘ線診断装置と超音波診断装置といった種々の組み合わせについて、本実施形態は適用可能である。
【００５４】
本実施形態では、２種類の医用画像について比較する場合について説明したが、３種類以上の医用画像について比較する場合についても適用可能である。
【００５５】
本実施形態では、同一の付帯情報は同じレイアウトで印刷する場合について説明したが、同一の付帯情報は一方の医用画像にのみ印刷し、他の医用画像には印刷させなくとも良い。
【００５６】
本実施形態では、ｘ−ｙ断面における患者の位置を変化させないことで撮像位置を略同一に保つ場合について説明したが、例えば医用診断装置が有するＭｕｌｔｉ−Ｐｌａｎｅｒ  Ｒｅｃｏｎｓｔｒｕｃｔｉｏｎ（ＭＰＲ）機能によって、３次元的に描画されたボリュームデータから、特徴部位の一致度合いなどに基づく同一断面画像をそれぞれ抽出し、撮像位置を略同一に保っても良い。この場合、例えば片方の断面画像が決定されたらもう片方の断面画像が抽出されるような仕様であっても良い。なお、拡大率や画像サイズについても同様に設定しても良い。
【００５７】
（第２の実施形態）
本実施形態では画像処理装置について説明する。
【００５８】
図７は、本実施形態における画像処理装置３１と医用画像診断装置１に関係と構成を示すブロック図である。
【００５９】
本実施形態における画像処理装置３１は、印刷データ生成部１１を備える。
【００６０】
本実施形態における医用診断装置１は、例えばＰＥＴ装置、とＸ線ＣＴ装置が一体となった、ＰＥＴ−ＣＴ装置である。医用診断装置１は、架台部２、コンソール３、寝台１７を備える。コンソール３は、システム制御部６、医用情報生成部７、記憶部８、表示部９、操作部１０を備える。医用情報生成部７は、ＣＴ画像生成部１２、ＰＥＴ画像生成部１３、付帯上場付与部１４を備える。
【００６１】
架台部２は、ＣＴ画像撮像部４、ＰＥＴ画像撮像部５を備える。架台部２は、寝台１７に載置された患者の体軸方向に当該患者を出し入れするための開口部を備える。
【００６２】
ＣＴ画像撮像部４は、例えば架台部２に互いに対向するように設けられた図示しないＸ線管と図示しないＸ線検出器である。Ｘ線管とＸ線検出器は、システム制御部６からの指示に従って、上記開口部の中心を通り患者の体軸方向と平行な回転軸を中心に回転する。Ｘ線管は、システム制御部６からの指示に従って印加された管電流と管電圧に基づいてＸ線を照射する。Ｘ線検出器は、Ｘ線管から照射され患者を透過したＸ線を検出し、ＣＴ画像用検出信号を生成する。Ｘ線検出器は、生成したＣＴ画像用検出信号をＣＴ画像生成部１２に送信する。
【００６３】
ＰＥＴ画像撮像部５は、例えば図示しないγ線検出器である。γ線検出部は、システム制御部６からの指示に従って、患者の体内に注入されたトレーサに基づくγ線を検出し、ＰＥＴ画像用検出信号を生成する。γ線検出器は、生成したＰＥＴ画像用検出信号をＰＥＴ画像生成部１３に送信する。
【００６４】
なお、本実施形態において、寝台１７に載置された患者の体軸方向をｚ軸方向、鉛直上下方向をｙ軸方向、ｚ軸方向とｙ軸方向に垂直な方向をｘ軸方向と定義する。また、上記ＣＴ画像撮像部４とＰＥＴ画像撮像部５の撮像中心は、上記開口部の中心を通りＺ軸方向と平行な回転軸上にあり、これらのｘ−ｙ断面における座標が例えば（ｘ０，ｙ０）であるものとして、以下説明する。
【００６５】
システム制御部６は、所定のタイミングで所定の操作画面を生成し、表示部９に表示させる。システム制御部６は、操作部１０を介したオペレータからの指示に従って、ＲＩＳ／ＨＩＳ１６に指示し、患者氏名や患者ＩＤといった第１付帯情報を付帯情報付与部１４に対して転送させる。システム制御部６は、操作部１０を介したオペレータからの指示に従って、ＣＴ画像撮像部４のＸ線管に印加させる管電流や管電圧の値、Ｘ線管およびＸ線検出器の回転速度を設定し、設定した条件に基づいてＣＴ画像撮像部４を制御する。システム制御部６は、例えばＸ線管に印加した管電流や管電圧の値、Ｘ線管およびＸ線検出器の回転速度を付帯情報付与部１４に対して通知する。システム制御部６は、操作部１０を介したオペレータからの指示に従って、例えば患者に投与したトレーサの投与量、トレーサの核種、トレーサを患者に投与してからの経過時間などを付帯情報付与部１４に通知する。システム制御部６は、操作部１０を介したオペレータからの指示に基づいて、ＣＴ画像生成部１２で生成され記憶部８に記憶されたＣＴ画像データを印刷データ生成部１１に転送する。システム制御部６は、操作部１０を介したオペレータからの指示に基づいて、ＰＥＴ画像生成部１３で生成され記憶部８に記憶されたＰＥＴ画像データを印刷データ生成部１１に転送する。システム制御部６は、操作部１０を介したオペレータからの指示に従って、寝台１７に載置された患者の位置をｘ軸、ｙ軸、ｚ軸の方向に変化させる。
【００６６】
付帯情報付与部１４は、システム制御部６からの通知に基づいて、Ｘ線管に印加した管電流や管電圧の値、Ｘ線管およびＸ線検出器の回転速度などの第２付帯情報を生成する。付帯情報付与部１４は、システム制御部６からの通知に基づいて、患者に投与したトレーサの投与量、トレーサの核種、トレーサを患者に投与してからの経過時間などの第３付帯情報を生成する。付帯情報付与部１４は、ＲＩＳ／ＨＩＳ１６から転送された第１付帯情報と、生成した第２付帯情報、第３付帯情報を印刷用データ生成部１１に転送する。
【００６７】
ＣＴ画像生成部１２は、ＣＴ画像撮像部４から送信されたＣＴ画像用検出信号に基づいて、例えばｘ軸方向とｙ軸方向に対応するピクセルサイズが共にａ１、ｘ軸方向とｙ軸方向に対応するピクセル数がそれぞれｂ１とｃ１、ｘ−ｙ断面における画像の中心が（ｘ０，ｙ０）のＣＴ画像データを生成する。なお、このＣＴ画像データのｘ軸方向とｙ軸方向に対応する画像サイズはそれぞれａ１×ｂ１とａ１×ｃ１であり、本実施形態において、ａ１×ｂ１＝Ｌ１、ａ１×ｃ１＝Ｌ２とする。ＣＴ画像生成部１２は、生成したＣＴ画像データを記憶部８に転送する。
【００６８】
ＰＥＴ画像生成部１３は、ＰＥＴ画像撮像部５から送信されたＰＥＴ画像用検出データに基づいて、例えばｘ軸方向とｙ軸方向に対応するピクセルサイズが共にａ２、ｘ軸方向とｙ軸方向に対応するピクセル数がそれぞれｂ２とｃ２、ｘ−ｙ断面における画像の中心が（ｘ０，ｙ０）のＰＥＴ画像データを生成する。なお、このＰＥＴ画像データのｘ軸方向とｙ軸方向に対応する画像サイズはそれぞれａ２×ｂ２とａ２×ｃ２であり、本実施形態において、ａ２×ｂ２＝Ｌ１、ａ２×ｃ２＝Ｌ２とする。ＰＥＴ画像生成部１３は、生成したＰＥＴ画像データを記憶部８に転送する。
【００６９】
印刷データ生成部１１は、システム制御部６から転送されたＣＴ画像データと、付帯情報付与部１４から転送された第１付帯情報と第２付帯情報とを所定のレイアウトで重畳させたＣＴ画像印刷データを生成する。印刷データ生成部１１は、生成したＣＴ画像印刷データを記憶部８に転送する。印刷データ生成部１１は、システム制御部６から転送されたＰＥＴ画像データと、付帯情報付与部１４から転送された第１付帯情報と第３付帯情報とを所定のレイアウトで重畳させたＰＥＴ画像印刷データを生成する。印刷データ生成部１１は、生成したＰＥＴ画像印刷データを印刷機１５に転送し、印刷させる。
【００７０】
記憶部８は、ＣＴ画像生成部１２から転送されたＣＴ画像データを記憶する。記憶部８は、ＰＥＴ画像生成部１３から転送されたＰＥＴ画像データを記憶する。
【００７１】
表示部９は、システム制御部６からの指示に従って、所定の操作画面を表示する。
【００７２】
操作部１０は、例えばマウスやキーボード、トラックボールなどの図示しない操作手段を備え、当該操作手段を用いたオペレータの操作に基づいてシステム制御部６に指示する。
【００７３】
寝台１７は、システム制御部６からの指示に従って動作し、載置された患者の位置を変化させる。
【００７４】
印刷記１５は印刷データ生成部１１から転送されたＣＴ画像印刷データあるいはＰＥＴ画像印刷データを、例えば同一サイズのフィルムにそれぞれ印刷する。
【００７５】
ＲＩＳ／ＨＩＳ１６は、検査予約リストと各検査に係る患者氏名や患者ＩＤといった第１付帯情報を備える。ＲＩＳ／ＨＩＳ６は、システム制御部６からの指示に従って、第１付帯情報を付帯情報付与部１４に転送する。
【００７６】
本実施形態の動作については、印刷データ生成部１１で生成したＣＴ画像印刷データとＰＥＴ画像印刷データをそのまま印刷機１５に転送し印刷させること以外は第１の実施形態と同じであるので割愛する。
【００７７】
以上説明したように、本実施形態における医用診断装置１は、それぞれ異なるデータ収集手段で収集されたデータに基づいて医用画像データを生成し、医用画像データを略同一の撮像位置、拡大率、画像サイズに設定し、略同一のレイアウトでフィルム２１に印刷する。これによって、フィルム２１に印刷された医用画像データを重畳させ参照することができるようになり、医用画像データの比較参照を行いやすくなる。また本実施形態における医用診断装置１は、同一の付帯情報は略同一のレイアウトで印刷し、異なる付帯情報は異なるレイアウトで印刷する。これによって、フィルム２１に印刷された医用画像データを重畳させ参照する場合でも、必要な付帯情報を正確に読み取ることができる。
【００７８】
本実施形態では、画像処理装置３１は印刷データ生成部１１のみを備える場合について説明したが、例えば記憶部８や付帯情報付与部１４といった、医用画像診断装置１の他の構成を備えていても良い。
【００７９】
以上、本発明の実施形態を説明したが、これらの実施形態は例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８０】
１・・・医用診断装置
２・・・架台部
３・・・コンソール
４・・・ＣＴ画像撮像部
５・・・ＰＥＴ画像撮像部
６・・・システム制御部
７・・・医用情報生成部
８・・・記憶部
９・・・表示部
１０・・・操作部
１１・・・印刷データ生成部
１２・・・ＣＴ画像生成部
１３・・・ＰＥＴ画像生成部
１４・・・付帯情報付与部
１５・・・印刷機
１６・・・ＲＩＳ／ＨＩＳ
２１・・・フィルム
２２・・・ＣＴ画像
２３・・・第１付帯情報印刷欄
２４・・・第２付帯情報印刷欄
２５・・・ＰＥＴ画像
２６・・・第３付帯情報印刷欄
２７・・・ガイド
３１・・・画像処理装置
【図１】
2014226262.tif 000003
【図２】
2014226262.tif 000004
【図３】
2014226262.tif 000005
【図４】
2014226262.tif 000006
【図５】
2014226262.tif 000007
【図６】
2014226262.tif 000008
【図７】
2014226262.tif 000009